(57)【要約】      （修正有）【課題】屋外で使用するキャンプ用折り畳みテーブル天板を提供する。【解決手段】同形の長方形状の天板片４枚１、１´、２、２´を蝶番で連結したテーブル天板であって、内側の天板片２、２´を連結する蝶番が調整部上に設置され、調整部が外側の天板片１、１´が蝶番により折り畳まれて、内側の天板片２、２´と重なった厚みと同一の厚みを有し、外側の天板片１、１´と内側の天板片２、２´がさらに畳み込まれた四つ折りを可能とする。【選択図】図２
0003210404.tif 000002
【実用新案登録請求の範囲】
【請求項１】
天板片２と天板片２´を連結する蝶番２が、天板片１が蝶番１により折り畳まれ天板片２と重なった厚みと同一の厚み調整部にあることで、天板片１と天板片２がさらに畳み込まれ四つ折りを可能とするテーブル天板。（図３・４・５）参照。
【請求項２】
蝶番２が付く厚み調整部を、補強パイプの位置・幅で欠き込むことで、補強パイプ取り付け面が同一面になり、蝶ボルトおよび各天板片に埋め込まれた鬼目ナットで同一パイプに複数箇所締結することが可能となり、四つの天板片が強固に一体化されるテーブル天板。（図６）参照。
【考案の詳細な説明】
【本考案の属する技術分野】
【０００１】本考案は、折り畳み可能なテーブルに関し、特に、屋外で使用するキャンプ用折り畳みテーブル天板に関する。
【背景技術】
【０００２】従来のキャンプ用四つ折りテーブルを（図７）として示す。これらの四つ折りテーブルは、脚部と一体で折り畳むことができ、その組み立てに要する時間は早い。しかし、脚部の収納を確保するため、天板片を箱状にせざるを得ず複雑になる。また、四枚の天板片が各両端にあるヒンジで連結され、四枚の天板片の一体性は脆弱である。また、独特な形状をしたヒンジ部の強度と間隔が天板の強度を決定付けているため、限られた大きさの天板しか製作されない。さらに、金属を多用しているので、大きさ・強度の増大が共に重さを増す要因となるなど、発展性・応用性がないものとなっている。
【考案の概要】
【本考案が解決しようとする課題】
【０００３】キャンプ生活に使用されるテーブルは、大きなテーブルでもその携帯性は確保されなければならない。だから二つ折りはもちろん四つ折りも求められている。また、キャンプ生活ではテーブルは一つしか設置しない。その一つのテーブルで数回の食事を含め何事もテーブルの上でやることになる。であるから、テーブルには組み立てに要する時間の短さより、多少時間はかかっても充分な堅牢さが必要なはずである。さらに、キャンプの参加人数によりテーブルの大きさも違ってくるはずであるし、天板の上で何をするのかにより求められる強度も違うはずである。であるから、テーブルの大きさや強度の加減が可能で、かつ、増大させても不合理な重さにならないものが求められる。
【課題を解決するための手段】
【０００４】テーブル天板と脚部とを切り離し別のものとすることで、天板の携帯性と堅牢さを優先させ、四つ折りをシンプルな方法で実現する。天板は強度に必要な厚さだけを基準に選択・使用する。特殊なヒンジ等ではなく、折り畳む機能性と強度にすぐれた部品として従来からある蝶番でこれら天板片を連結し、強度的に弱い方向を補強で補うことで、テーブル天板としての携帯性、堅牢さを確保する。また、合板を主な材料とすることで、強度がありながらも不合理な重さにはならない。さらに、求められる大きさ・強度に応じて、部材の大きさ・数を増大させることで対応できる。
【課題を解決するための手段補足】
【０００５】脚部については、既存市販品に、本考案の天板を使用する際に援用できるものがあるので、それらを使用する。（図８）参照。
【図面の簡単な説明】
【０００６】
【図１】は、組み立て完成状態の天板表の斜視図である。
【図２】は、組み立て完成状態の天板裏の斜視図である。
【図３】は、天板を折り畳んだ状態と構成部品の斜視図である。
【図４】は、二分の一に展開された天板裏側の斜視図である。
【図５】は、四分の三に展開された天板裏側の斜視図である。
【図６】は、全展開された天板に補強パイプを取り付ける解説の斜視図である。
【図７】は、市販されている四つ折りテーブルの姿図である。
【図８】は、市販されている折り畳み脚の姿図である。
【本考案の実施の形態】
【０００７】（図１・２・３）の通り、本考案四つ折りテーブル天板は、全展開した大きさの約四分の一に折り畳むことが出来る。構成する部品は（図３）の通り、蝶ボルト、加工された補強パイプ、加工・連結された四枚の天板片である。（図４・５）の通り、蝶番１で連結されている天板片１、２を折り畳むと、それらの厚みの合計と等しい厚さの厚み調整部に蝶番２があるため、蝶番２により天板片１・２は更に折り畳まれ四つ折りとなる。厚み調整部は、蝶番の大きさに応じて幅を決め、接着剤とビスを併用して天板片と強固に一体化している。全展開した天板に、（図６）の通り、補強パイプを取り付ける。蝶番２がある厚み調整部は、補強パイプが配置される位置・大きさで欠き込まれている。そのため、補強パイプを配置すると、補強パイプは天板片１〜１´の四枚に渡って同一面に接した状態になる。四枚の天板片には、鬼目ナットが複数埋め込まれている。補強パイプに開いた穴に蝶ボルトを通し、それら鬼目ナットに締結し、補強パイプを固定する。
【四つ折りテーブル天板を構成する各部材の説明】
【０００８】［天板片１、１´、２、２´］天板は市販の各種合板を使用する。市販の合板は、長さ１８２０ミリ幅９１０ミリの大きさが代表的であるが、幅、長さ、厚み共に数種の規格サイズがある。また、表面の樹種も選択できる。なお、合板の厚みは、鬼目ナットを埋め込むので一層なら９ミリ以上の厚みが望ましい。しかし、軽量化のため、蝶番部、鬼目ナット部を二層、厚み調整部を四層同等にすることで、使用する合板の厚みは５．５ミリでも可能である。天板片２・２´に作る厚み調整部は、蝶番の大きさに応じて幅を決め、接着剤とビスを併用して強固に一体化する。その際、補強パイプの位置に当たる部分は除いておく。
［蝶番］鉄製またはステンレス製の市販の各種蝶番から、天板片の厚み、大きさ、強度を考慮し、サイズ、使用する箇所数を選択し取り付ける。
［補強パイプ］市販のアルミパイプから、天板の大きさ、重さ、強度を考慮し選択する。なお、市販されている折り畳み式の脚セット（図６参照）の固定部に合致するパイプにすることが出来る。
［鬼目ナット］市販の各種鬼目ナットから、使用する合板の厚み、補強パイプの強度を考慮し相応のものを選択し埋め込む。
［蝶ボルト］市販の蝶ボルトから、補強パイプ・鬼目ナットのサイズに合わせて選択する。
【本考案の効果】
【０００９】本考案の四つ折りテーブル天板は、使用時の約四分の一の大きさに折り畳むことができ携帯性に優れかつ堅牢である。また、合板を主材料とするため不合理な重さにはならない。また、求められる大きさ・強度に対して、構成する部品の数・サイズを増大させることで対応可能な発展性・応用性がある。
【図１】
0003210404.tif 000003
【図２】
0003210404.tif 000004
【図３】
0003210404.tif 000005
【図４】
0003210404.tif 000006
【図５】
0003210404.tif 000007
【図６】
0003210404.tif 000008
【図７】
0003210404.tif 000009
【図８】
0003210404.tif 000010
【手続補正書】
【提出日】平成29年2月18日(2017.2.18)
【手続補正１】
【補正対象書類名】実用新案登録請求の範囲
【補正対象項目名】全文
【補正方法】変更
【補正の内容】
【実用新案登録請求の範囲】
【請求項１】
天板片２と天板片２´を連結する蝶番２が、天板片１が蝶番１により折り畳まれ天板片２と重なった厚みと同一の厚み調整部にあることで、天板片１と天板片２がさらに畳み込まれ四つ折りを可能とするテーブル天板。
【請求項２】
蝶番２が付く厚み調整部を補強パイプを添える位置で欠き込むことで、真直ぐな補強パイプを四枚の天板片に隙間無く添えることが可能となり、補強パイプと各天板片に埋め込まれた鬼目ナットと蝶ボルトで複数箇所締結することで、四つの天板片が強固に一体化されることを特徴とする請求項１記載のテーブル天板。